(57)【要約】【課題】ケーシングの底面より端子を突出させた電磁リレーにおいて、回路基板に半田付けする際に半田の湯回りが阻害されず、従来の電磁リレーの構成や取り付け方法を大幅に変更することなく、効果的に高さ方向の省スペース化が可能となる電磁リレーを提供する。【解決手段】端子３の基端部には、端子３を基板４に半田付けする際に、半田８の湯回りのための空気抜き部５を設けた。【選択図】図１
2010033926.tif 000002
【特許請求の範囲】
【請求項１】
ケーシングの底面より端子を突出させた電磁リレーにおいて、
上記ケーシングの底面で、上記端子の基端部には、半田の湯回りのための空気抜き部を設けたことを特徴とする電磁リレー。
【請求項２】
請求項１において、
上記空気抜き部は、上記端子に対応して形成された溝条で構成され、それぞれの溝条は、その内部より上記端子を突出させるとともに、上記ケーシングの外方に開口する空気抜き孔を有した構造になっている電磁リレー。
【請求項３】
請求項１において、
上記空気抜き部は、上記ケーシングの底面に突出する突出部を有したスペーサ段部を形成し、その段部の外周に上記端子を突出させた構造にしている電磁リレー。
【請求項４】
請求項１において、
上記空気抜き部は、上記ケーシングの外方に開口する複数の開口部を有し、かつその内部より上記端子を突出させた、相互に連通するガイド溝部を凹設して構成されている電磁リレー。
【発明の詳細な説明】
【技術分野】
【０００１】
本発明は、基板に半田付けされる電磁リレーの改良に関する。
【背景技術】
【０００２】
一般に、基板に半田付けされる電磁リレーは、電磁リレーの主要部品を収容したケーシングと、このケーシングの底面より突出する端子とを備えている。
【０００３】
図４は、従来の電磁リレーの構成を示す説明図であり、（ａ）は、従来の電磁リレーの立面図を、（ｂ）は、（ａ）における端子の基端部の断面図をそれぞれ示している。
【０００４】
図４に示すように、従来の電磁リレー９１は、電磁リレーの主要部品を収容するケーシング９２と、このケーシング９２の底面より突出する端子９３とを備え端子９３は、基板９４に設けられた端子取り付け孔９４ａに半田付けする際、端子９３の基端部から空気を抜いて端子９３への半田９８の湯回りを良好ならしめるため、ケーシング９２は、基板９４より上方に持ち上げて間隙を保持する状態で半田付けがなされている（スタンドオフ）。そのため、従来の電磁リレー９１においては、ケーシング９２の上部が高くなってしまい、表面実装回路の省スペース化に限界があった。
【０００５】
なお、図５は、従来の電磁リレーにおいて、スタンドオフを設けない場合の構成を示す説明図であり、（ａ）は、スタンドオフを設けない場合の従来の電磁リレーの立面図を、（ｂ）は、（ａ）における端子の基端部の断面図をそれぞれ示している。
【０００６】
図５に示すように、ケーシング９２の上部を低くするために、スタンドオフをなくしてケーシング９２を基板９４に接した状態で半田付けした場合には、端子９３の基端部から空気が抜けず、半田９８の湯回りが阻害されるという問題が発生する。
【０００７】
そこで、ケーシングの上部の高さを抑制するために、端子構造と端子の固定方法を変更して表面実装回路の省スペース化を図ろうとする電磁リレーが種々開発されている。
【０００８】
例えば、特許文献１には、端子を折り曲げてケースに形成された切欠部に沿わせるように構成された表面実装リレーが開示され提案されている。
【特許文献１】特開平６−２６７３８６号公報
【発明の開示】
【発明が解決しようとする課題】
【０００９】
しかしながら、上述の特許文献１に開示された電磁リレーでは、ケースに切欠部を形成する必要があるだけでなく、端子を折り曲げる加工が必要になるなど、構造が複雑になるという問題があった。また、半田付けの箇所が基板の裏側から表側になるので、従来の表面実装機の構成を大幅に変更する必要が生じるという問題もあった。
【００１０】
本発明は上記事情に鑑みてなされたものであり、端子構造やケーシング構造あるいは半田付けの箇所など、従来の電磁リレーの構成や取り付け方法を大幅に変更することなく、高さ方向の省スペース化が可能となる電磁リレーを提供することを目的としている。
【課題を解決するための手段】
【００１１】
上記目的を解決するために、請求項１に記載の電磁リレーは、ケーシングの底面より端子を突出させた電磁リレーにおいて、上記ケーシングの底面で、上記端子の基端部には、上記端子を基板に半田付けする際に、半田の湯回りのための空気抜き部を設けたことを特徴としている。
【００１２】
また、請求項２に記載の電磁リレーは、請求項１において、上記空気抜き部は、上記端子に対応して形成された溝条で構成され、それぞれの溝条は、その内部より上記端子を突出させるとともに、上記ケーシングの外方に開口する空気抜き孔を有した構造になっている。
【００１３】
また、請求項３に記載の電磁リレーは、請求項１において、上記空気抜き部は、上記ケーシングの底面に突出する突出部を有したスペーサ段部を形成し、その段部の外周に上記端子を突出させた構造にしている。
【００１４】
また、請求項４に記載の電磁リレーは、請求項１において、上記空気抜き部は、上記ケーシングの外方に開口する複数の開口部を有し、かつその内部より上記端子を突出させた、相互に連通するガイド溝部を凹設して構成されている。
【発明の効果】
【００１５】
請求項１に記載の電磁リレーによれば、ケーシングの底面に形成した空気抜き部を介して端子の基端部からケーシングの外方に空気が抜けるので、ケーシングの底面を基板に接するように取り付けても、半田の湯回りが阻害されることがない。そのため、高さ方向の省スペースが可能となる
また、請求項２に記載の電磁リレーによれば、ケーシングの底面で溝条を形成するという簡単な構造で端子の基端部から空気を抜くことができるので、電磁リレーの高さ方向の省スペースを安価に行うことができる。
【００１６】
また、請求項３に記載の電磁リレーによれば、ケーシングの底面に突出する突出部を有したスペーサ段部を形成しているので、端子の周りに開いた空間が形成され、スムーズに空気を抜くことができる。
【００１７】
また、請求項４に記載の電磁リレーによれば、空気抜き部のガイド溝部が、端子を密封するためのシールをガイドするシールガイド溝になっているので、シールを用いてケーシング底面を基板に固着する最、シールの漏れ出しを防止するガイド溝となるだけでなく、端子の基端部においてよりすみやかに空気を抜くことができる。
【発明を実施するための最良の形態】
【００１８】
以下、添付図面を参照しながら本発明の第１の実施形態について説明する。図１は、本発明の第１の実施形態の電磁リレーの構成を示す説明図であり、（ａ）は、電磁リレーの底面図、（ｂ）は、電磁リレーの立面図、をそれぞれ示している。
【００１９】
図１に示すように、本発明の第１の実施形態の電磁リレー１は、図示しない電磁リレー主要部を収容する直方体のケーシング２と、このケーシング２の底面より突出する４本の端子３とを備え、４本の端子３は、それぞれ基板４に設けられた端子取り付け孔４ａに半田付けされるように構成されている。
【００２０】
ここで、ケーシング２は、プラスチックで構成され、電磁リレーの主要部品が取り付けられる基台２ａと、電磁リレーの主要部品を覆うカバー２ｂと、カバー２ｂを基台２ａに着脱自在に係止する係止部２ｃとを備えている。
【００２１】
そして、端子３の基端部においては、端子３を基板４に半田付けする際に、半田８の湯回りを良好ならしめるために空気抜き部５が設けられている。
【００２２】
この空気抜き部５は、第１の実施形態の電磁リレー１においては、端子３に対応して底面を凹設して形成された溝条６で構成され、それぞれの溝条６は、その内部より端子３を突出させるとともに、ケーシング２の外方に開口する空気抜き孔７を有している。
【００２３】
このような構造によれば、半田付けの際にはケーシング２に設けられている溝条６と空気抜き孔７とからなる空気抜き部５を介して端子３の基端部から空気が抜けるので、ケーシング２の底面を基板４に接するように取り付けても、半田８の湯回りが阻害されることがない。そのため、スタンドオフするものに比べて高さ方向の省スペースが可能となる
次に、図２を参照しながら本発明の第２の実施形態について説明する。図２は、本発明の第２の実施形態の電磁リレーの構成を示す説明図であり、（ａ）は、電磁リレーの底面図、（ｂ）は、電磁リレーの立面図、をそれぞれ示している。なお以下の説明では、本発明の第１の実施の形態に係る電磁リレー１と同様の部材には同一の符号を付し、重複する説明を省略するものとする。
【００２４】
図２に示すように、第２の実施形態の電磁リレー２１においては、空気抜き部５は、ケーシング２の底面に突出する突出部２２ａを有したスペーサ段部２２を形成し、その段部の外周に端子３を突出させた構造になっている。
【００２５】
このような構造によれば、ケーシング２の底面に突出する突出部２２ａを有したスペーサ段部２２を形成しているので、端子３の周りには開いた空間が形成されるのでよりすみやかに空気を抜くことができる。
【００２６】
さらに、図３を参照しながら本発明の第３の実施形態について説明する。図３は、本発明の第３の実施形態の電磁リレーの構成を示す説明図であり、（ａ）は、電磁リレーの底面図、（ｂ）は、電磁リレーの立面図、をそれぞれ示している。
【００２７】
図３に示すように、空気抜き部５は、ケーシング２の外方に開口する複数の開口部３２ａを有し、かつその内部より端子３を突出させた、相互に連通するガイド溝部３２を凹設して構成されている。斜線部分が凹設されたガイド溝部３２である。
【００２８】
このように、第３の実施形態に係る電磁リレー１によれば、空気抜き部５のガイド溝部３２が、端子３を密封するためのシールをガイドするシールガイド溝になっているので、シールを用いてケーシング底面を基板に固着する最、シールの漏れ出しを防止するガイド溝となるだけでなく、端子３の基端部においてよりすみやかに空気を抜くことができる。
【００２９】
上述した実施の形態は本発明の好ましい具体例を例示したものに過ぎず、本発明は上述した実施の形態に限定されない。
【００３０】
例えば、ケーシング２は、必ずしも直方体に限定されないし、セラミックで構成されていてもよい。また、電磁リレーの主要部品が取り付けられる基台２ａと、電磁リレーの主要部品を覆うカバー２ｂと、カバー２ｂを基台２ａに着脱自在に係止する係止部２ｃとを備えた構成にも限定されない。端子３が基板に半田付けされる電磁リレーのケーシングであれば、種々の設計変更が可能である。
【００３１】
また、電磁リレー１の空気抜き部５の溝条６と空気抜き孔７とは、必ずしも図１のような形状に限定されない。端子３の基端部から、空気が抜ける形状であれば、種々の設計変更が可能である。
【００３２】
また、スペーサ段部２２も、必ずしも図２のような形状に限定されない。ケーシング２の底面に突出する突出部を有し、段部の外周に端子３を突出させた構造になっている形状により端子３の基端部から、空気が抜ける形状であれば、種々の設計変更が可能である。
【００３３】
さらに、ガイド溝部３２は、必ずしも図３のような形状に限定されない。ケーシング２の外方に開口する複数の開口部３２ａを有し、かつその内部より端子３を突出させ、相互に連通し、凹設された形状により端子３の基端部から、空気が抜ける形状であれば、種々の設計変更が可能である。
【００３４】
その他、本発明の特許請求の範囲内で種々の設計変更が可能であることはいうまでもない。
【図面の簡単な説明】
【００３５】
【図１】本発明の第１の実施形態の電磁リレーの構成を示す説明図であり、（ａ）は、電磁リレーの底面図、（ｂ）は、電磁リレーの立面図、をそれぞれ示している。
【図２】本発明の第２の実施形態の電磁リレーの構成を示す説明図であり、（ａ）は、電磁リレーの底面図、（ｂ）は、電磁リレーの立面図、をそれぞれ示している。
【図３】本発明の第３の実施形態の電磁リレーの構成を示す説明図であり、（ａ）は、電磁リレーの底面図、（ｂ）は、電磁リレーの立面図、をそれぞれ示している。
【図４】従来の電磁リレーの構成を示す説明図であり、（ａ）は、スタンドオフを説明する従来の電磁リレーの立面図、（ｂ）は、スタンドオフのない従来の電磁リレーの立面図、（ｃ）は、スタンドオフのない従来の電磁リレーにおける端子の基端部の断面図をそれぞれ示している。
【図５】従来の電磁リレーにおいて、スタンドオフを設けない場合の構成を示す説明図であり、（ａ）は、スタンドオフを設けない場合の従来の電磁リレーの立面図を、（ｂ）は、（ａ）における端子の基端部の断面図をそれぞれ示している。
【符号の説明】
【００３６】
１、２１、３１  電磁リレー
２    ケーシング
３    端子
４    基板
５    空気抜き部
６    溝条
７    空気抜き孔
２２  スペーサ段部
２２ａ  突出部
３２  ガイド溝部
３２ａ    開口部
【図１】
2010033926.tif 000003
【図２】
2010033926.tif 000004
【図３】
2010033926.tif 000005
【図４】
2010033926.tif 000006
【図５】
2010033926.tif 000007